(57)【要約】  ＨＥＭＳコントローラ（１００）において、受信部（９０１）は、指定された期間における蓄電設備からの放電の要請又は蓄電設備への充電の要請を示す通知をサーバから受信する。計算部（９０２）は、要請に応じた場合及び要請に応じない場合のそれぞれについて、経済性を示す評価値、環境性を示す評価値、快適性を示す評価値のうち、少なくとも一つの評価値を計算する。表示部（９０４）は、計算された少なくとも一つの評価値を表示する。
2017013754.tif 000002
【特許請求の範囲】
【請求項１】
指定された期間における蓄電設備からの放電の要請又は前記蓄電設備への充電の要請を示す通知をサーバから受信する受信部と、
前記要請に応じた場合及び前記要請に応じない場合のそれぞれについて、経済性を示す評価値、環境性を示す評価値、快適性を示す評価値のうち、少なくとも一つの評価値を計算する計算部と、
前記計算部により計算された前記少なくとも一つの評価値を表示する表示部と、
を備える電力制御装置。
【請求項２】
前記計算部は、前記電力制御装置の制御対象である電気機器による消費電力の予測値と、発電設備による発電電力の予測値と、電力小売事業者から提示された電気料金データと、前記要請に応じることにより需要家が得るインセンティブと、に基づいて、前記評価値を計算する、
請求項１に記載の電力制御装置。
【請求項３】
需要家によって入力されたスケジュールを示すスケジュール情報を記憶するスケジュール記憶部を更に備え、
前記計算部は、前記記憶されているスケジュール情報に基づいて、前記要請に応じた場合の電力制御計画を示す第１の実行計画と前記要請に応じない場合の電力制御計画を示す第２の実行計画とを作成し、作成した実行計画に基づいて前記評価値を計算する、
請求項１又は２に記載の電力制御装置。
【請求項４】
前記要請に応じる旨の指示入力が前記需要家から入力されると、前記第１の実行計画に基づいて電気機器を制御し、前記要請に応じない旨の指示入力が前記需要家から入力されると、前記第２の実行計画に基づいて前記電気機器を制御する機器制御部を更に備える、
請求項３に記載の電力制御装置。
【請求項５】
前記電力制御装置は、前記要請に応じるか否かの需要家による指示を示す応答データを前記サーバへ送信する送信部を備える、
請求項１から４のいずれか１項に記載の電力制御装置。
【請求項６】
前記要請に応じるか否かの指示入力を、前記受信部が前記要請を受信する前に予め前記需要家から受け付ける入力受付部と、
前記予め受け付けた指示入力を示す設定情報を記憶する設定情報記憶部と、
を更に備え、
前記送信部は、前記記憶されている設定情報に基づいて前記応答データを前記サーバへ送信する、
請求項５に記載の電力制御装置。
【請求項７】
前記表示部は、前記要請に応じないことによるリスクを示すリスク情報を、前記計算された評価値と共に表示する、
請求項１から６のいずれか１項に記載の電力制御装置。
【請求項８】
前記通知には、前記要請に応じることにより需要家が得るインセンティブを示すインセンティブ情報が含まれ、
前記表示部は、
前記インセンティブ情報を、前記計算された評価値と共に表示し、
前記指定された期間における前記要請に応じない旨の指示入力を示す応答データを前記サーバへ送信した後、再び前記指定された期間における前記要請を示す通知を前記サーバから受信すると、前記インセンティブの内容が変更された新たなインセンティブ情報を表示する、
請求項１から７のいずれか１項に記載の電力制御装置。
【請求項９】
指定された期間における蓄電設備からの放電の要請又は前記蓄電設備への充電の要請を示す通知をサーバからコンピュータが受信する受信ステップと、
前記要請に応じた場合及び前記要請に応じない場合のそれぞれについて、経済性を示す評価値、環境性を示す評価値、快適性を示す評価値のうち、少なくとも一つの評価値をコンピュータが計算する計算ステップと、
前記計算ステップにおいて計算された前記少なくとも一つの評価値をコンピュータが表示する表示ステップと、
を備える電力制御方法。
【請求項１０】
コンピュータを、
指定された期間における蓄電設備からの放電の要請又は前記蓄電設備への充電の要請を示す通知をサーバから受信する受信部、
前記要請に応じた場合及び前記要請に応じない場合のそれぞれについて、経済性を示す評価値、環境性を示す評価値、快適性を示す評価値のうち、少なくとも一つの評価値を計算する計算部、
前記計算部により計算された前記少なくとも一つの評価値を表示する表示部、
として機能させるプログラム。
【発明の詳細な説明】
【技術分野】
【０００１】
本発明は、需要家の要望に合った制御を行うことができる電力制御装置、電力制御方法、及び、プログラムに関する。
【背景技術】
【０００２】
電力の卸売市場価格が高騰したときや、電力小売事業者による電力の供給能力への信頼性が低下するおそれがあるときに、電力小売事業者が需要家に電力の使用を調整するように要請することがある。需要家が電力小売事業者から提示される電気料金の変更やインセンティブの受け取りに応じて電力の使用を調整して制御することを、デマンドレスポンスという。【０００３】
特許文献１には、需要家における電力の需要量と逆潮流による電力の供給量とを制御する電力需給制御システムが開示されている。これによれば、電力会社の電力調整サーバは、供給電力が不足すると、需要家に逆潮流を行わせる要請を地域管理サーバへ送信し、地域管理サーバは、管理する需要家のホームゲートウェイに逆潮流可能な能力を問い合わせる。ホームゲートウェイは、問い合わせを受信すると、予想使用電力と予想発電電力を計算して地域管理サーバに回答する。地域管理サーバは、回答を集計し、予め決められたランク付けルールに従って、逆潮流を行わせる需要家を決定し、決定した需要家のホームゲートウェイに逆潮流を行わせる。【０００４】
また、特許文献２には、需要家間での公平な逆潮流を可能にする配電システムが開示されている。これによれば、需要家は変電所からの距離に応じてグループ化されており、需要家における逆潮流電力の調整を指示するための調整指示を、グループ単位で需要家に送信する。
【先行技術文献】
【特許文献】
【０００５】
【特許文献１】特開２０１２−１９６１２２号公報
【特許文献２】特開２０１０−２００５３９号公報
【発明の概要】
【発明が解決しようとする課題】
【０００６】
上記特許文献はいずれも、電力会社から需要家へ、逆潮流を要請するデマンドレスポンスに関するものである。しかしながら、需要家に単に逆潮流が要請されるだけであり、需要家には要請に応じるか否かの判断材料は提供されない。このため、需要家が要請に応じることにより予想される需要家への影響、あるいは、要請に応じないことにより予想される需要家への影響を事前に把握できず、需要家の要望に合った電力の制御が行われないことがあるという問題があった。【０００７】
本発明は、上記の事情のもとになされたもので、需要家の要望に合った制御を行うことができる電力制御装置、電力制御方法、及び、プログラムを提供することを目的とする。
【課題を解決するための手段】
【０００８】
上記目的を達成するため、本発明に係る電力制御装置は、
指定された期間における蓄電設備からの放電の要請又は前記蓄電設備への充電の要請を示す通知をサーバから受信する受信部と、
前記要請に応じた場合及び前記要請に応じない場合のそれぞれについて、経済性を示す評価値、環境性を示す評価値、快適性を示す評価値のうち、少なくとも一つの評価値を計算する計算部と、
前記計算部により計算された前記少なくとも一つの評価値を表示する表示部と、
を備える。
【発明の効果】
【０００９】
需要家の要望に合った制御を行うことができる電力制御装置、電力制御方法、及び、プログラムを提供できる。
【図面の簡単な説明】
【００１０】
【図１】電力制御システムの構成を示す図である。
【図２】ＨＥＭＳコントローラのハードウェア構成を示す図である。
【図３】需要家端末のハードウェア構成を示す図である。
【図４】ＤＲＡＳのハードウェア構成を示す図である。
【図５】スケジュール情報の例を示す図である。
【図６】生成された第１実行計画の例を示す図である。
【図７】生成された第２実行計画の例を示す図である。
【図８】電力制御処理を説明するためのフローチャートである。
【図９】ＨＥＭＳコントローラの機能的な構成を示す図である。
【図１０】充電開始処理を説明するためのフローチャートである。
【図１１】計算された評価値の表示例を示す図である。
【図１２】放電開始処理を説明するためのフローチャートである。
【図１３】計算された評価値の表示例を示す図である。
【図１４】充電終了処理を説明するためのフローチャートである。
【図１５】計算された実績値の表示例を示す図である。
【図１６】放電終了処理を説明するためのフローチャートである。
【図１７】計算された実績値の表示例を示す図である。
【図１８】実施形態２における電力制御処理を説明するための図である。
【図１９】変形例における電力制御システムの構成を示す図である。
【発明を実施するための形態】
【００１１】
（実施形態１）
図１に、本実施形態の電力制御システム１の概要構成を示す。電力制御システム１は、宅内に設置される一つ以上の電気機器１８０（図１では１８０Ａ、１８０Ｂ、１８０Ｃの三つ）によって消費される電力量を監視し、電気機器１８０等を制御する。宅内に設置される電気機器１８０の数及び種類は任意である。
【００１２】
宅内には、ＨＥＭＳ（Home Energy Management System）コントローラ１００、需要家端末１２０、自立切替盤１３０、電力計測装置１４０、発電設備１５０、蓄電設備１６０、電気自動車（ＥＶ）１７０、電気機器１８０、スマートメータ３０が含まれる。電力制御システム１全体のうち、宅内に含まれる部分を宅内システムと呼ぶ。また、ＨＥＭＳコントローラ１００を“電力制御装置”とも呼ぶ。
【００１３】
なお、需要家は電気自動車１７０を電力制御システム１から切り離して使用する（運転する）ことができ、また、スマートメータ３０は一般に需要家ではなく電力小売事業者によって管理されるのであるが、便宜上、電気自動車１７０とスマートメータ３０も宅内システムに含めることとする。
【００１４】
図１には一つの宅内システムしか記載されていないが、電力制御システム１は複数の宅内システムを備えることができる。典型的には、一つの需要家（ユーザともいう）に一つの宅内システムが対応付けられる。
【００１５】
デマンドレスポンスオートメーションサーバ（以下、「ＤＲＡＳ」と略す）１０は、電力の需要と供給、あるいは電力の市場価格の変動等に基づいて、需要家に消費電力の調整を要請するために使用されるサーバである。ＤＲＡＳ１０は、電力を生成して需要家へ供給する電力小売事業者によって管理される。
【００１６】
デマンドレスポンス（以下、「ＤＲ」と略す）とは、電力の市場価格が高騰したときや、電力小売事業者の電力の供給能力の信頼性が低下するおそれがあるときに、電力小売事業者からの要請に応じて、価格の変更又は需要家へのインセンティブの提供を伴って、宅内システムが消費電力を調整しながら電気機器１８０や蓄電設備１６０等を制御することである。
【００１７】
ＤＲの具体的な方法には、例えば、ＣＰＰ（Critical Peak Pricing）、ＰＴＲ（Peak Time Rebate）、ＲＴＰ（Real Time Pricing）がある。
【００１８】
ＣＰＰでは、電力の需要がピークに達する時間帯における小売価格が、他の時間帯における小売価格よりも相対的に高く設定される。ピーク時間帯に電気料金が高くなるので、需要家がピーク時間帯に電力の使用を控えることが見込まれる。結果として、総需要量に対して総供給量が不足する心配が薄れ、電力の供給能力の信頼性が担保される。
【００１９】
ＰＴＲでは、需要家がピーク時間帯に電力の使用量を減らすと、その減らした量に応じて電気代の一部が払い戻される。需要家がピーク時間帯に電力の使用を抑えればその分支払うべき電気代が安くなるので、需要家がピーク時間帯に電力の使用を控えることが見込まれる。結果として、総需要量に対して総供給量が不足する心配が薄れ、電力の供給能力の信頼性が担保される。
【００２０】
ＲＴＰでは、電力小売事業者が総需要量と総供給量の変動の見込みに基づいて近い将来（例えば翌日）の電力の小売価格を変動させる。小売価格が相対的に高く設定された時間帯において需要家が電力の使用を控えることが見込まれる。結果として、総需要量に対して総供給量が不足する心配が薄れ、電力の供給能力の信頼性が担保される。
【００２１】
なお、ＤＲの具体的な方法はこれらに限定されない。例えば、電力小売事業者が予め時間帯ごとに異なる電気料金を設定したり、電力の需給バランスに応じて刻一刻と電気料金を変動させたりしてもよい。
【００２２】
情報収集サーバ２０は、複数の宅内システムに関する情報を収集する。例えば、情報収集サーバ２０は、通信ネットワーク５０に接続された複数の宅内システムからＤＲに応じるか否かを示す参加状況に関する情報を収集し、ＤＲへの参加率等の情報を需要家に提供する。
【００２３】
スマートメータ３０は、電気機器１８０等による消費電力量を計測し、ＤＲＡＳ１０へ、及び／又は、通信ネットワーク５０を介して電力会社が管理するサーバ（図示せず）へ、計測結果を送信する。
【００２４】
通信ネットワーク５０は、宅内システムとＤＲＡＳ１０と情報収集サーバ２０とを通信可能に接続する。典型的には、通信ネットワーク５０はインターネットである。
【００２５】
ＨＥＭＳコントローラ１００は、ＤＲＡＳ１０から送信される、ＤＲを実施することを予告する予告通知、ＤＲを実施することを示す実施通知、ＤＲの実施をキャンセルすることを示すキャンセル通知を受信し、受信した予告通知又は実施通知又はキャンセル通知に基づいて、宅内システムを制御する。予告通知と実施通知とキャンセル通知をまとめてＤＲ指令という。
【００２６】
ＤＲには、電力の需要を抑える要請だけでなく、蓄電設備１６０への充電等によって電力の需要を増やす要請もある。商用電源に余剰が発生し、電力の消費を増やす要請の予告通知、あるいは、電力の消費を増やす要請の実施通知をＤＲＡＳ１０から受信すると、ＨＥＭＳコントローラ１００は、商用電源から電力を買って蓄電設備１６０へ充電する処理を開始する。
【００２７】
勿論、ＨＥＭＳコントローラ１００は、ＤＲ指令とは関係なく、例えば需要家の指示に従って、宅内システムに含まれる電気機器１８０や蓄電設備１６０等を制御することもできる。
【００２８】
需要家端末１２０は、例えば、携帯電話機、スマートフォン、パーソナルコンピュータ、タブレット型端末等である。需要家は、需要家端末１２０を使って電力制御システム１の状態を示す情報や、受信した要請に関する情報等を見たり、ＨＥＭＳコントローラ１００へ指示を入力したりすることができる。
【００２９】
自立切替盤１３０は、宅内電力線を外部の商用電源と繋げたり、宅内電力線を外部の商用電源から切り離したりする。
【００３０】
宅内システムの運転モードには二種類ある。一つは、自立切替盤１３０によって宅内電力線が商用電源と繋げられ、商用電源から電力の供給を受ける連携モードである。連携モードでは、発電設備１５０によって発電された電力を商用電源へ供給する（売電する）ことも可能である。
【００３１】
もう一つは、自立切替盤１３０によって宅内電力線が商用電源から切り離され、商用電源から電力の供給を受けずに、発電設備１５０によって発電された電力、及び／又は、蓄電設備１６０に蓄えられた電力を宅内に供給する自立モードである。
【００３２】
運転モードの切り替えは、自立切替盤１３０によって検出される、商用電源からの電力の供給状態を示す検出結果に基づいて、自立切替盤１３０によって行われる。典型的には、商用電源が停電すると自立モードに設定され、商用電源が停電していない間には連携モードに設定される。
【００３３】
宅内システムには一つ以上の電力計測装置１４０が設置されている。電力計測装置１４０は、発電設備１５０から宅内電力線へ流れる電力量、蓄電設備１６０から宅内電力線へもしくは宅内電力線から蓄電設備１６０へ流れる電力量、電気機器１８０により消費される消費電力量、等を計測する。電力計測装置１４０による計測結果はＨＥＭＳコントローラ１００に随時送信される。ＨＥＭＳコントローラ１００は計測結果を受信して保存する。
【００３４】
発電設備１５０は、太陽光発電を行い、生成した電力を宅内電力線もしくは蓄電設備１６０に供給する。なお、発電方法は太陽光発電でなくてもよい。
【００３５】
蓄電設備１６０は、商用電源から供給された電力もしくは発電設備１５０により生成された電力を蓄える。
【００３６】
電気自動車１７０は、電気を動力源とした自動車である。電気自動車１７０は、宅内システムに接続されていれば、任意のタイミングで充放電が可能な蓄電池としても機能する。電気自動車１７０は、宅内システムに接続されていなければ、バッテリーに蓄えた電力を使って走行可能な車両となる。
【００３７】
電気機器１８０は、宅内電力線に接続されており、商用電源と発電設備１５０と蓄電設備１６０とのうち少なくともいずれか一つから電力の供給を受けることにより動作する。
【００３８】
電気機器１８０は、具体的には、空気調和機、電気調理器、テレビジョン受像機、換気設備、給湯設備、床暖房設備等である。ただし、電気機器１８０の種類はこれらに限られず、電気によって動作し、ＨＥＭＳコントローラ１００によって制御可能であればよい。
【００３９】
次に、ＨＥＭＳコントローラ１００のハードウェア構成について、図２を用いて説明する。
【００４０】
通信部２０１は、ＮＩＣ（Network Interface Card）を備え、宅内システム内の需要家端末１２０、自立切替盤１３０、電力計測装置１４０、発電設備１５０、蓄電設備１６０、電気自動車１７０、電気機器１８０、及び、スマートメータ３０と通信する。
【００４１】
また、通信部２０１はＤＲＡＳ１０と通信する。通信部２０１は、スマートメータ３０を介してＤＲＡＳ１０と通信することもあるし、通信ネットワーク５０を介してＤＲＡＳ１０と通信することもある。本実施形態では、通信部２０１は、主に、通信ネットワーク５０を介してＤＲＡＳ１０と通信するものとする。
【００４２】
画像処理部２０２は、ディスプレイ２５１に表示する画面データを生成し、例えば電力制御システム１の現在の動作状態を示す画面等、様々な画面を表示する。
【００４３】
音声処理部２０３は、記憶部２０５から音声データを取得し、再生し、音声をスピーカ２５２から出力する。
【００４４】
入力部２０４は、ボタンやタッチパネル等、需要家からの指示入力を受け付ける入力デバイスを備える。
【００４５】
記憶部２０５は、ハードディスク等の記憶装置を備え、ＨＥＭＳコントローラ１００を制御する各種のプログラム、電力計測装置１４０から受信した電力量を示すデータ、電気機器１８０の運転状態を示すデータ、オペレーティングシステム（ＯＳ）、画像データ、音声データ、テキストデータ等を記憶する。
【００４６】
制御部２０６は、ＣＰＵ、ＲＯＭ、ＲＡＭを備え、ＨＥＭＳコントローラ１００全体を制御する。
【００４７】
次に、需要家端末１２０のハードウェア構成について、図３を用いて説明する。
【００４８】
通信部３０１は、ＮＩＣを備え、ＨＥＭＳコントローラ１００と通信する。
【００４９】
画像処理部３０２は、ディスプレイ３５１に表示する画面を構成するデータを生成し、表示する。
【００５０】
音声処理部３０３は、記憶部３０６から音声データを取得し、再生し、音声をスピーカ３５２から出力する。
【００５１】
Ｉ／Ｏ部３０４は、ＵＳＢ（Universal Serial Bus）等のインタフェースを備え、メモリカード、外付けハードディスク等を需要家端末１２０に接続する。
【００５２】
入力部３０５は、ボタンやタッチパネル等、需要家から指示入力を受け付ける入力デバイスを備える。
【００５３】
記憶部３０６は、ハードディスク等の記憶装置を備え、需要家端末１２０を制御する各種のプログラム、ＯＳ、画像データ、音声データ、テキストデータ等を記憶する。
【００５４】
制御部３０７は、ＣＰＵ、ＲＯＭ、ＲＡＭを備え、需要家端末１２０全体を制御する。
【００５５】
次に、ＤＲＡＳ１０のハードウェア構成について、図４を用いて説明する。
【００５６】
通信部４０１は、ＮＩＣを備え、ＨＥＭＳコントローラ１００と通信する。例えば、通信部４０１は、上述のＤＲ指令をＨＥＭＳコントローラ１００へ送信したり、ＤＲ指令が示す要請に応じるか否かの応答を示す応答データを受信したりする。また、通信部４０１は、通信ネットワーク５０を介して情報収集サーバ２０と通信する。
【００５７】
記憶部４０２は、ＤＲ指令が示す要請に応じるか否かを示す情報を、コントローラ１００の識別情報と対応付けて記憶する。つまり、記憶部４０２には、各需要家が要請に応じるか否かを示す情報が記憶される。
【００５８】
制御部４０３は、ＣＰＵ、ＲＯＭ、ＲＡＭを備え、ＤＲＡＳ１０全体を制御する。
【００５９】
なお、情報収集サーバ２０のハードウェア構成は、ＤＲＡＳ１０と同等であるので、詳しい説明を省略する。情報収集サーバ２０は、少なくとも、外部と通信する通信部と、様々なデータを記憶する記憶部と、情報収集サーバ２０全体を制御する制御部とを有していればよい。
【００６０】
次に、本実施形態の電力制御システム１によって実行される処理の詳細について説明する。
【００６１】
ＨＥＭＳコントローラ１００の制御部２０６は、需要家の電力小売事業者との契約形態あるいは電力小売事業者からの要請に合わせ、蓄電設備１６０への充電と蓄電設備１６０からの放電を制御する。また、制御部２０６は、充放電の実行を許可するか否かの需要家からの指示入力に基づいて、蓄電設備１６０による充放電を制御する。
【００６２】
（充電の開始）
制御部２０６は、蓄電設備１６０が満充電でない場合において、予め決められた充電開始条件が満たされると、発電設備１５０によって生成された電力及び／又は商用電源からの電力を蓄電設備１６０に蓄える制御を開始する。
【００６３】
例えば、充電開始条件は「電力に余剰が発生したこと」である。制御部２０６は、発電設備１５０による発電量が電気機器１８０等による消費電力量を上回り、発電設備１５０による発電量に余剰が発生すると、発電設備１５０によって生成された電力を蓄電設備１６０に蓄える制御を開始する。
【００６４】
あるいは、充電開始条件は「発電量に余剰が発生し、且つ、売電価格が買電価格より安いこと」でもよい。制御部２０６は、発電設備１５０による発電量に余剰が発生し、且つ、電力小売事業者から電力を買うための価格（売電価格）が、電力小売事業者に電力を売るための価格（買電価格）を下回る場合に、発電設備１５０によって生成された電力を蓄電設備１６０に蓄える制御を開始する。
【００６５】
充電開始条件は「買電価格が相対的に安い時間帯であること」でもよい。制御部２０６は、電力小売事業者から電気料金データを取得して買電価格と売電価格を判別し、買電価格が相対的に安い時間になると、商用電源からの電力を蓄電設備１６０に蓄える制御を開始する。つまり買電して充電する。
【００６６】
充電開始条件は「電力小売事業者から充電を要請されたこと」でもよい。制御部２０６は、ＤＲＡＳ１０から蓄電設備１６０への充電を要請するＤＲ指令を受信すると、商用電源からの電力を蓄電設備１６０に蓄える制御を開始する。つまり買電して充電する。
【００６７】
充電開始条件は「需要家から充電開始の指示があったこと」でもよい。制御部２０６は、蓄電設備１６０に充電する旨の指示が需要家から入力されると、発電設備１５０によって生成された電力及び／又は商用電源からの電力を蓄電設備１６０に蓄える制御を開始する。
【００６８】
充電開始条件は「充電を開始するスケジュールが予め登録されており、充電を開始する時刻になったこと」でもよい。制御部２０６は、スケジュールが示す充電を開始する時刻になると、発電設備１５０によって生成された電力及び／又は商用電源からの電力を蓄電設備１６０に蓄える制御を開始する。
【００６９】
（充電の終了）
また、制御部２０６は、充電の開始後、予め決められた充電終了条件が満たされると、発電設備１５０によって生成された電力及び／又は商用電源からの電力を蓄電設備１６０に蓄える制御を終了する。
【００７０】
例えば、充電終了条件は「蓄電設備１６０が満充電になったこと」である。制御部２０６は、蓄電設備１６０の充電量が規定の容量に達すると、電力を蓄電設備１６０に蓄える制御を終了する。
【００７１】
あるいは、充電終了条件は「発電量の余剰が無くなったこと」でもよい。制御部２０６は、発電設備１５０による発電量が電気機器１８０等による消費電力量を下回る等、発電設備１５０による発電量に余剰が無くなると、制御部２０６は、発電設備１５０によって生成された電力を蓄電設備１６０に蓄える制御を終了する。充電の終了後、発電設備１５０によって生成された電力に余剰が発生するのであれば、発電設備１５０によって生成された電力の一部又は全部を商用電源へ供給する処理を開始し、売電してもよい。
【００７２】
充電終了条件は「売電価格が買電価格より高いこと」でもよい。制御部２０６は、売電価格が買電価格を上回る場合に、発電設備１５０によって生成された電力を蓄電設備１６０に蓄える制御を終了する。充電の終了後、発電設備１５０によって生成された電力に余剰が発生するのであれば、発電設備１５０によって生成された電力の一部又は全部を商用電源へ供給する処理を開始し、売電してもよい。
【００７３】
充電終了条件は「買電価格が相対的に高い時間帯であること」でもよい。制御部２０６は、電力小売事業者から電気料金データを取得して買電価格と売電価格を判別し、買電価格が相対的に高い時間になると、商用電源からの電力を蓄電設備１６０に蓄える制御を終了する。つまり電気代が高く付く時間帯には買電を控える。
【００７４】
充電終了条件は「電力小売事業者からの充電の要請がキャンセルされたこと」でもよい。制御部２０６は、ＤＲＡＳ１０から蓄電設備１６０への充電の要請をキャンセルするＤＲ指令を受信すると、商用電源からの電力を蓄電設備１６０に蓄える制御を終了する。
【００７５】
充電終了条件は「需要家から充電終了の指示があったこと」でもよい。制御部２０６は、蓄電設備１６０への充電を終了する旨の指示が需要家から入力されると、発電設備１５０によって生成された電力及び／又は商用電源からの電力を蓄電設備１６０に蓄える制御を終了する。
【００７６】
充電終了条件は「充電を終了するスケジュールが予め登録されており、充電を終了する時刻になったこと」でもよい。制御部２０６は、スケジュールが示す充電を終了する時刻になると、発電設備１５０によって生成された電力及び／又は商用電源からの電力を蓄電設備１６０に蓄える制御を終了する。
【００７７】
制御部２０６は、充電開始条件と充電終了条件を任意に変更することができる。また、充電開始条件と充電終了条件は上述したものに限られず、他の条件を定義してもよい。
【００７８】
（放電の開始）
制御部２０６は、蓄電設備１６０の残容量がカラでない場合において、予め決められた放電開始条件が満たされると、発電設備１５０によって生成された電力を蓄電設備１６０から宅内電力線又は商用電力線へ放出する制御を開始する。
【００７９】
例えば、放電開始条件は「電力小売事業者から放電を要請されたこと」である。制御部２０６は、蓄電設備１６０からの放電を要請するＤＲ指令をＤＲＡＳ１０から受信すると、蓄電設備１６０に蓄えられた電力を商用電力線へ放出する（逆潮流させる）制御を開始する。
【００８０】
放電開始条件は「電力小売事業者から電力の消費を抑制する旨が要請されたこと」でもよい。制御部２０６は、消費電力の抑制を要請するＤＲ指令をＤＲＡＳ１０から受信すると、蓄電設備１６０に蓄えられた電力を商用電力線又は宅内電力線へ放出する制御を開始する。
【００８１】
放電開始条件は「発電設備１５０による発電量が予め決められた量未満になったこと」でもよい。例えば現在時刻が夕方や夜や早朝等であったり天候が悪かったりして、太陽光発電が不可能あるいは発電効率が極端に悪いと判別すると、制御部２０６は、蓄電設備１６０に蓄えられた電力を宅内電力線へ放出する制御を開始する。つまり買電と放電により電力を賄う。
【００８２】
放電開始条件は「買電価格が相対的に高い時間帯であること」でもよい。制御部２０６は、電力小売事業者から電気料金データを取得して買電価格と売電価格を判別し、買電価格が相対的に高い時間になると、蓄電設備１６０に蓄えられた電力を宅内電力線へ放出する制御を開始する。つまり電気代が高く付く時間帯には買電を控え、なるべく放電により電力を賄う。
【００８３】
放電開始条件は「売電価格が相対的に高い時間帯であること」でもよい。制御部２０６は、電力小売事業者から電気料金データを取得して買電価格と売電価格を判別し、売電価格が相対的に高い時間帯になると、蓄電設備１６０に蓄えられた電力を商用電力線へ放出する制御を開始する。つまり売電を開始する。
【００８４】
放電開始条件は「需要家から放電開始の指示があったこと」でもよい。制御部２０６は、蓄電設備１６０からの放電を開始する旨の指示が需要家から入力されると、発電設備１５０に蓄えられた電力を蓄電設備１６０から放出する制御を開始する。
【００８５】
放電開始条件は「放電を開始するスケジュールが予め登録されており、放電を開始する時刻になったこと」でもよい。制御部２０６は、スケジュールが示す放電を開始する時刻になると、発電設備１５０に蓄えられた電力を蓄電設備１６０から放出する制御を開始する。
【００８６】
（放電の終了）
また、制御部２０６は、放電を開始した後、予め決められた放電終了条件が満たされると、発電設備１５０に蓄えられた電力を宅内電力線又は商用電力線へ放出する制御を終了する。
【００８７】
例えば、放電終了条件は「電力小売事業者からの放電の要請がキャンセルされたこと」である。制御部２０６は、ＤＲＡＳ１０から蓄電設備１６０からの放電の要請をキャンセルするＤＲ指令を受信すると、蓄電設備１６０に蓄えられた電力を商用電力線へ放出する制御を終了する。
【００８８】
放電終了条件は「電力小売事業者から電力の消費を抑制する要請がキャンセルされたこと」でもよい。制御部２０６は、ＤＲＡＳ１０から電力の消費を抑制する要請をキャンセルするＤＲ指令を受信すると、蓄電設備１６０に蓄えられた電力を商用電力線又は宅内電力線へ放出する制御を終了する。
【００８９】
放電終了条件は「発電設備１５０による発電量が予め決められた量以上になったこと」でもよい。例えば昼間に悪天候のため発電量が少なかったものの、天気が良くなって発電量が多くといったように、単位時間あたりの発電量もしくは発電効率が予め決められた量以上になると、制御部２０６は、蓄電設備１６０に蓄えられた電力を宅内電力線へ放出する制御を終了する。つまり充電を優先する。
【００９０】
放電終了条件は「買電価格が相対的に安い時間帯であること」でもよい。電力小売事業者から電気料金データを取得して買電価格と売電価格を判別し、買電価格が相対的に安い時間帯になると、蓄電設備１６０に蓄えられた電力を商用電力線へ放出する制御を終了し、商用電源からの電力を宅内電力線へ供給する制御を開始する。つまり売電を終了する代わりに買電を開始する。
【００９１】
放電終了条件は「需要家から放電終了の指示があったこと」でもよい。制御部２０６は、蓄電設備１６０からの放電を終了する旨の指示が需要家から入力されると、発電設備１５０に蓄えられた電力を蓄電設備１６０から放出する制御を終了する。
【００９２】
放電終了条件は「放電を終了するスケジュールが予め登録されており、放電を終了する時刻になったこと」でもよい。制御部２０６は、スケジュールが示す放電を終了する時刻になると、発電設備１５０に蓄えられた電力を蓄電設備１６０から放出する制御を終了する。
【００９３】
なお、制御部２０６は、蓄電設備１６０の充放電に加えて、もしくは、蓄電設備１６０の充放電の代わりに、電気自動車１７０が有する蓄電池の充放電を制御することもできる。制御部２０６は、蓄電設備１６０に適用する充電開始条件と、電気自動車１７０に適用する充電開始条件とを異ならせてもよいし、同じとしてもよい。充電終了条件、放電開始条件、放電終了条件についても同様である。
【００９４】
制御部２０６は、放電開始条件と放電終了条件を任意に変更することができる。また、放電開始条件と放電終了条件は上述したものに限られず、他の条件を定義してもよい。
【００９５】
（情報提供処理）
次に、ＤＲ指令が示す要請に応じるか否か、充電をすべきか否か、もしくは、放電をすべきか否か等を需要家が判断するための判断材料を需要家に提供する情報提供処理について説明する。
【００９６】
例えば、買電価格が相対的に安い時間帯において蓄電設備１６０の残容量が少ないのであれば、一般には、その安い時間帯に買電して充電しておくことが望ましい。しかし、需要家の都合等の理由により、充電しなくてもよい、もしくは充電しないほうがよい、という場合もある。また、需要家によっては、又は、機会によっては、金銭的なコストを抑えることを何より優先したいという場合があるし、金銭的なコストが増えてでも快適さを優先したいという場合もある。そこで、本実施形態の電力制御システム１は、需要家にとっての判断材料となる複数の要因のそれぞれを評価して需要家に提示することにより、需要家の好みに合った電力制御を実現する。
【００９７】
本実施形態では、上記の要因として、経済的な要因、環境的な要因、快適さの要因、の三つを定義する。
【００９８】
経済的な要因とは、買電金額と売電価格に代表されるように、金銭的なコストの大きさのことである。経済的な要因を重視する実行計画（電力制御計画）によれば、充電の可否及び放電の可否は、金銭的なコストがより少なくなるように決定される。
【００９９】
この経済的な要因には、現在の買電金額と売電価格の他に、将来の買電金額の見込みと売電価格の見込み、発電設備１６０を使用することによるランニングコスト、ある期間における買電価格及び／又は売電価格の変動の度合い、買電価格及び／又は売電価格が見込みに反して変動するリスク、等も含まれる。
【０１００】
環境的な要因とは、発電による二酸化炭素の排出量のように、環境に与える影響の大きさのことである。環境的な要因を重視する実行計画によれば、充電の可否及び放電の可否は、環境的な負荷がより少なくなるように決定される。
【０１０１】
快適さの要因とは、例えば暑いときにもっと部屋を涼しくしたい、寒いときにもっと部屋を暖かくしたいといったように、需要家の要望や嗜好にどれだけ合うかということである。快適さの要因を重視する実行計画によれば、充電の可否及び放電の可否は、需要家の要望や嗜好になるべく合致するように決定される。
【０１０２】
経済的な要因と環境的な要因と快適さの要因のすべてを同時に最適化することは通常困難である。そのため、経済的な要因を重視するならば、その分環境的な要因と快適さの要因をある程度犠牲にせざるを得ないし、環境的な要因を重視するならば、その分経済的な要因と快適さの要因をある程度犠牲にせざるを得ないし、快適さの要因を重視するならば、その分経済的な要因と環境的な要因をある程度犠牲にせざるを得ない。需要家は、経済的な要因を考慮した第１種の評価値（経済性を示す評価値）と、環境的な要因を考慮した第２種の評価値（環境性を示す評価値）と、快適さの要因を考慮した第３種の評価値（快適性を示す評価値）とのバランスを、要請に応じる場合と応じない場合とで見比べながら、ＤＲ指令に基づく要請に応じるか否かを選択することになる。
【０１０３】
ＨＥＭＳコントローラ１００の制御部２０６が実行計画を作成する上で参照される情報には、例えば次のような情報がある。
【０１０４】
・発電設備１６０による発電量の過去の実績値と将来の予測値。
・宅内システムによる消費電力量の実績値と予測値。
・電力小売事業者から提供される、買電価格と売電価格を示す電気料金データ。
・要請に応じることにより需要家が得ることができるインセンティブ。
・需要家によって設定された電気機器１８０等の運転スケジュール。
・需要家の行動予定。
・現在の天気、外気の温度と湿度、部屋の中の温度と湿度等の気象データ。
・将来予想される天気、外気の温度と湿度、部屋の中の温度と湿度等の気象データ。
・要請に対する他の需要家による参加の状況。
・他の需要家による売電量と買電量の実績値と予測値。
【０１０５】
以上列記した情報に限らず、ＨＥＭＳコントローラ１００は様々な情報を元に実行計画を作成することができる。
【０１０６】
本実施形態では、ＨＥＭＳコントローラ１００の制御部２０６は、ＤＲ指令を受信すると、ＤＲ指令が示す要請に応じる第１実行計画（第１の実行計画）６００と、ＤＲ指令が示す要請に応じない（要請を無視する）第２実行計画（第２の実行計画）７００とを作成し、それぞれの実行計画に対する、経済的な要因を考慮した第１種の評価値と、環境的な要因を考慮した第２種の評価値と、快適さの要因を考慮した第３種の評価値とを計算し、需要家に提示する。需要家は、提示された評価値を参考に、要請に応じるか否かを選択する。制御部２０６は、需要家による選択結果に基づいて蓄電設備１６０や発電設備１５０や電気機器１８０等を制御する。
【０１０７】
（実行計画の作成と評価値の計算）
次に、制御部２０６によって行われる、実行計画を作成する処理、及び、評価値を計算する処理について説明する。
【０１０８】
図５に、需要家により設定されたスケジュールを示すスケジュール情報５００の例を示す。需要家は、入力部２０４もしくは需要家端末１２０を操作して、需要家自身のスケジュールや電気機器１８０を動作させるスケジュールを入力する。制御部２０６は、需要家からの入力に基づいて、スケジュールに対応付けられる需要家を示す識別情報又は電気機器１８０を示す識別情報と、スケジュールの内容を示す情報と、スケジュールの開始日時と、スケジュールの終了日時と、を対応付けて記憶部２０５に記憶する。
【０１０９】
制御部２０６は、需要家と電気機器１８０との対応付けを示すデータを記憶部２０５に予め記憶しており、スケジュールに示される需要家に対応付けられる電気機器１８０を判別する。そして、制御部２０６は、判別した電気機器１８０をスケジュールに指定された動作の内容に従って制御する実行計画を作成する。ＤＲ指令が示す要請を考慮しない、スケジュール通りの実行計画は、上述の第２実行計画７００となる。
【０１１０】
スケジュールに動作対象の電気機器１８０が直接指定されている場合には、制御部２０６は、指定された電気機器１８０を指定された動作の内容に従って制御する実行計画を作成する。
【０１１１】
スケジュールが示す期間の一部又は全部が、ＤＲ指令が示すＤＲ期間（需要を減少させる要請であれば、需要の減少が要請される期間;需要を増加させる要請であれば、需要の増加が要請される期間）と重なる場合、制御部２０６は、ＤＲ指令が示す期間と重ならない期間については、入力されたスケジュール通りに制御し、ＤＲ指令が示す期間と重なる期間については、要請に従って消費電力等を調整して制御する、という実行計画を作成する。ＤＲ指令が示す要請に基づいて作成した実行計画は、上述の第１実行計画６００となる。
【０１１２】
節電を要請する予告通知を受信すると、制御部２０６は、入力されたスケジュールが示す全期間のうち、ＤＲ指令が示す期間と重なる期間（重複期間）において、スケジュールに対応付けられる電気機器１８０の動作を停止あるいは使用可能な機能を制限したり、蓄電設備１６０から放電させたりすることにより、重複期間での消費電力量及び／又は買電量を減らす第１実行計画６００を作成する。
【０１１３】
制御部２０６は、ＤＲ指令が示す要請に応じる場合に各電気機器１８０に動作させるべき処理を予め定めておき、重複期間ではその予め定めた処理を電気機器１８０に行わせる第１実行計画６００を作成する。
【０１１４】
あるいは、電気機器１８０は、ＤＲ指令が示す要請に応じる場合に実行すべき処理を定義する情報を予め記憶しておき、ＨＥＭＳコントローラ１００から要請に応じる旨が通知されると、この予め定義された実行すべき処理を実行するようにしてもよい。この場合、ＨＥＭＳコントローラ１００は、すべての電気機器１８０について、要請に応じる場合に実行させるべき具体的な処理を予め定義しておく必要はなく、要請に応じる旨を電気機器１８０に通知するだけでよい。
【０１１５】
また、電気機器１８０が、要請に応じるときに適用される第１動作モードと、要請に応じない場合もしくは要請が無いときに適用される第２動作モードと、の二種類の動作モードを有し、ＨＥＭＳコントローラ１００の制御部２０６が、要請に応じるならば、電気機器１８０に第１動作モードで動作することを指示し、要請に応じないならば、電気機器１８０に第２動作モードで動作させることを指示するようにしてもよい。
【０１１６】
第１動作モードにおいて電気機器１８０が行う具体的な処理内容と、第２動作モードにおいて電気機器１８０が行う具体的な処理内容は、本発明によって限定されず、任意である。
【０１１７】
図６に、制御部２０６によって作成された、要請に応じる第１実行計画６００の例を示す。制御部２０６は、電気機器１８０等のそれぞれについて、稼働させるか否か、稼働させる場合にはその稼働内容（空気調和機であれば風量や目標温度等）を決定して第１実行計画６００を作成し、第１実行計画６００を示すデータを記憶部２０５に格納する。
【０１１８】
図７に、制御部２０６によって作成された、要請に応じない第２実行計画７００の例を示す。制御部２０６は、作成した第２実行計画７００を示すデータを記憶部２０５に格納する。
【０１１９】
図６と図７には、ＤＲ期間を含む一日間だけの実行計画が示されているが、制御部２０６は、ＤＲ期間より前の期間、及び／又は、ＤＲ期間より後の期間、を含む二日以上の実行計画を作成することができる。
【０１２０】
制御部２０６は、スケジュール情報５００を用いずに、第１実行計画６００と第２実行計画７００とを作成することもできる。
【０１２１】
具体的には、ＤＲ期間と重複するスケジュールが設定されていない場合、制御部２０６は、ＤＲ指令が示す期間外に需要家からの電気機器１８０への直接的な操作を検知すると第２動作モードで電気機器１８０を動作させ、ＤＲ指令が示す期間中に需要家からの電気機器１８０への直接的な操作を検知すると第１動作モードで電気機器１８０を動作させる、という第１実行計画６００を作成する。また、制御部２０６は、ＤＲ期間にかかわらず、需要家からの電気機器１８０への直接的な操作を検知すると第２動作モードで電気機器１８０を動作させる第２実行計画７００を作成する。
【０１２２】
直接的な操作とは、スケジュール情報５００に因らず、ディスプレイ２５１に表示される画面が需要家により操作されることによって、もしくは電気機器１８０が備える入力デバイスが需要家により操作されることによって、電気機器１８０に何らかの指示が入力されることである。
【０１２３】
また、スケジュールが登録されておらず、且つ、需要家からの直接的な操作が無い場合でも、制御部２０６は、第１実行計画６００と第２実行計画７００とを作成することができる。
【０１２４】
すなわち、ＨＥＭＳコントローラ１００の制御部２０６は、実行通知又は予告通知をＤＲＡＳ１０から受信すると、要請に応じて蓄電設備１６０のＤＲ期間中の動作を変更する第１実行計画６００と、要請に応じずに蓄電設備１６０の動作を変更しない第２実行計画７００とを作成する。
【０１２５】
例えば、節電を要請する実行通知又は予告通知をＤＲＡＳ１０から受信した時点で空気調和機が暖房運転中であった場合に、制御部２０６は、ＤＲ期間中に蓄電設備１６０から放電し、且つ、目標温度を予め決められた温度だけ低く設定するかあるいは暖房を停止させる第１実行計画６００と、ＤＲ期間中もそのまま空気調和機の運転を続ける第２実行計画７００と、を作成する。
【０１２６】
なお、制御部２０６は、ＤＲ期間に要請に応じて制御した後、ＤＲ期間に入る前に動作していたときの設定に戻して電気機器１８０を動作させる第１実行計画６００を作成してもよい。
【０１２７】
更に、制御部２０６は、作成した第１実行計画６００及び第２実行計画７００と、第１実行計画６００により予測される消費電力量と、第２実行計画７００により予測される消費電力量と、電気料金を示す電気料金データとに基づいて、第１実行計画６００に従って制御した場合の消費電力の予測値及び電気代の予測値と、第２実行計画７００に従って制御した場合の消費電力の予測値及び電気代の予測値とを計算する。
【０１２８】
そして、制御部２０６は、（Ａ１）第１実行計画６００に対する経済的な要因を考慮した第１種の評価値ＶＥＣＯ１と、（Ｂ１）第１実行計画６００に対する環境的な要因を考慮した第２種の評価値ＶＥＮＶ１と、（Ｃ１）第１実行計画６００に対する快適さの要因を考慮した第３種の評価値ＶＣＦＴ１と、をそれぞれ計算する。
【０１２９】
同様に、制御部２０６は、（Ａ２）第２実行計画７００に対する経済的な要因を考慮した第１種の評価値ＶＥＣＯ２と、（Ｂ２）第２実行計画７００に対する環境的な要因を考慮した第２種の評価値ＶＥＮＶ２と、（Ｃ２）第２実行計画７００に対する快適さの要因を考慮した第３種の評価値ＶＣＦＴ２と、をそれぞれ計算する。
【０１３０】
第１種の評価値ＶＥＣＯｎ（ｎ＝１又は２）と、第２種の評価値ＶＥＮＶｎ（ｎ＝１又は２）と、第３種の評価値ＶＣＦＴｎ（ｎ＝１又は２）の具体的な計算式は任意であるが、次に一例を示す。
【０１３１】
ＶＥＣＯｎ  ＝  （Ｘｎ＋Ｙｎ−Ｚｎ）／（Ｘ＋Ｙ−Ｚ）    ・・・［式１］
【０１３２】
ＶＥＮＶｎ  ＝  ＣＡ・Ｗｎ      ・・・［式２］
【０１３３】
ＶＣＦＴｎ  ＝  Σ（ＣＢＸ・ΔＴｎ）      ・・・［式３］
【０１３４】
演算子“／”は除算を表し、演算子“・”は乗算を表し、演算子Σは総和を表す。
【０１３５】
Ｘｎは計算された電気代（予測値）である。Ｘは過去の同時期にかかった電気代である。
【０１３６】
Ｙｎは充電又は放電にかかる費用（予測値）である。Ｙは過去の同時期に充電又は放電にかかった費用である。
【０１３７】
Ｚｎは需要家が得るインセンティブの金額である。Ｚは過去の同時期に充電又は放電によって得たインセンティブの金額である。充電の場合、一般にＺｎとＺはゼロである。放電の場合、一般にＺｎとＺは正の値である。
【０１３８】
第１種の評価値ＶＥＣＯｎが大きいほど、コストが高いことを示す。
【０１３９】
計算された電気代の予測値Ｘｎを、第１種の評価値ＶＥＣＯｎとしてもよい。
【０１４０】
Ｗｎは計算された消費電力量（単位はキロワット時。予測値）である。ＣＡは二酸化炭素排出係数（例えば0.384（単位はkg-CO2/kWh））である。
【０１４１】
第２種の評価値ＶＥＮＶｎが大きいほど、環境への影響が大きいことを示す。
【０１４２】
ΔＴｎは、要請に応じることにより変更される空気調和機の目標温度の変化量（予測値）である。例えば、節電により第１の空気調和機の目標温度を２度変更し第２の空気調和機の目標温度を１度変更する場合には、ΔＴ１＝２、ΔＴ２＝１、ＶＣＦＴｎ＝２ＣＢ１＋ＣＢ２、となる。ＣＢＸ（Ｘは電気機器１８０を示す番号）は予め決められた重み係数である。
【０１４３】
上記［式３］では、空気調和機のみ考慮されているが、空気調和機に加えて、もしくは空気調和機の代わりに、他の機器におけるパラメータの変更量、例えば照明設備の明るさの変化量や床暖房設備の目標温度の変更量等を用いた計算式を採用してもよい。
【０１４４】
第３種の評価値ＶＣＮＦｎが大きいほど、需要家の嗜好から離れている（需要家がより快適に感じない）ことを示す。
【０１４５】
なお、第１実行計画６００についての第１種の評価値ＶＥＣＯ１と第２種の評価値ＶＥＮＶ１と第３種の評価値ＶＣＮＦ１をまとめて第１評価値とも呼び、第２実行計画７００についての第１種の評価値ＶＥＣＯ２と第２種の評価値ＶＥＮＶ２と第３種の評価値ＶＣＮＦ２をまとめて第２評価値とも呼ぶ。
【０１４６】
（電力制御処理）
次に、電力制御システム１によって行われる電力制御処理の流れについて説明する。
【０１４７】
図８に、電力制御システム１によって行われる電力制御処理を説明するためのフローチャートを示す。図９に、ＨＥＭＳコントローラ１００の機能的な構成を示す。
【０１４８】
制御部２０６は、図８に示す電力制御処理を、例えば１０分間隔等、定期的なタイミングで繰り返し実行する。
【０１４９】
まず、制御部２０６は、電気機器１８０による消費電力量、発電設備１５０による発電量、蓄電設備１６０による蓄電量、等を示す運転データを取得し、取得した日時又は計測した日時と対応付けて記憶部２０５に記憶する（ステップＳ８０１）。記憶部２０５には、消費電力量、発電量、蓄電量の履歴を示す情報が蓄積される。なお、制御部２０６は、運転データだけでなく、天候、温度、湿度等の気象データを取得し、運転データと共に記憶部２０５に記憶してもよい。
【０１５０】
制御部２０６は、ＤＲ指令をＤＲＡＳ１０から受信したか否かを判別する（ステップＳ８０２）。ここでは、ＤＲ指令は、指定したＤＲ期間に節電を要請する予告通知又は実行通知、指定したＤＲ期間に蓄電設備１６０への充電を要請する予告通知又は実行通知、指定したＤＲ期間に蓄電設備１６０からの放電を要請する予告通知又は実行通知、のいずれかであるとする。
【０１５１】
ＨＥＭＳコントローラ１００の制御部２０６と通信部２０１が協働して、ＤＲ指令により指定されたＤＲ期間における蓄電設備１６０からの放電の要請、又は、ＤＲ指令により指定されたＤＲ期間における蓄電設備１６０への充電の要請を示す通知をＤＲＡＳ１０から受信する受信部９０１として機能する。
【０１５２】
ＤＲ指令を受信していない場合（ステップＳ８０２；ＮＯ）、ステップＳ８０４へ移る。一方、ＤＲ指令を受信した場合（ステップＳ８０２；ＹＥＳ）、制御部２０６は、ＤＲ指令が示す要請に応じる第１実行計画６００と、ＤＲ指令が示す要請に応じない第２実行計画７００とを作成する（ステップＳ８０３）。ＨＥＭＳコントローラ１００の制御部２０６が、要請に応じる第１実行計画６００と、要請に応じない第２実行計画７００とを作成する計算部９０２として機能する。
【０１５３】
例えば、制御部２０６は、需要家から入力され記憶部２０５に記憶されているスケジュール情報５００に基づいて、第１実行計画６００と第２実行計画７００を作成する。ＨＥＭＳコントローラ１００の記憶部２０５が、需要家によって入力されたスケジュールを示すスケジュール情報５００を記憶するスケジュール記憶部９０３として機能する。
【０１５４】
次に、制御部２０６は、充電開始条件が満たされるか否かを判別する（ステップＳ８０４）。充電開始条件が満たされると判別した場合（ステップＳ８０４；ＹＥＳ）、制御部２０６は、図１０に示す充電開始処理を実行する（ステップＳ８０５）。充電開始条件が満たされないと判別した場合（ステップＳ８０４；ＮＯ）、ステップＳ８０６へ移る。
【０１５５】
制御部２０６は、放電開始条件が満たされるか否かを判別する（ステップＳ８０６）。放電開始条件が満たされると判別した場合（ステップＳ８０６；ＹＥＳ）、制御部２０６は、図１２に示す放電開始処理を実行する（ステップＳ８０７）。放電開始条件が満たされないと判別した場合（ステップＳ８０６；ＮＯ）、ステップＳ８０８へ移る。
【０１５６】
制御部２０６は、充電終了条件が満たされるか否かを判別する（ステップＳ８０８）。充電終了条件が満たされると判別した場合（ステップＳ８０８；ＹＥＳ）、制御部２０６は、図１４に示す充電終了処理を実行する（ステップＳ８０９）。充電終了条件が満たされないと判別した場合（ステップＳ８０８；ＮＯ）、ステップＳ８１０へ移る。
【０１５７】
制御部２０６は、放電終了条件が満たされるか否かを判別する（ステップＳ８１０）。放電終了条件が満たされると判別した場合（ステップＳ８１０；ＹＥＳ）、制御部２０６は、図１６に示す放電終了処理を実行する（ステップＳ８１１）。放電終了条件が満たされないと判別した場合（ステップＳ８１０；ＮＯ）、電力制御処理を終了する。
【０１５８】
（充電開始処理）
次に、充電開始処理の詳細について、図１０，図１１を用いて説明する。
【０１５９】
まず、制御部２０６は、ＤＲ指令をＤＲＡＳ１０から受信したか否かを判別する（ステップＳ１００１）。
【０１６０】
ＤＲ指令を受信した場合（ステップＳ１００１；ＹＥＳ）、制御部２０６は、ステップＳ８０３にて作成した第１実行計画６００についての第１評価値（本実施形態では上述の第１種の評価値ＶＥＣＯ１と第２種の評価値ＶＥＮＶ１と第３種の評価値ＶＣＦＴ１の三つ）を計算する（ステップＳ１００２）。
【０１６１】
同様に、制御部２０６は、ステップＳ８０３にて作成した第２実行計画７００についての第２評価値（本実施形態では上述の第１種の評価値ＶＥＣＯ２と第２種の評価値ＶＥＮＶ２と第３種の評価値ＶＣＦＴ２の三つ）を計算する（ステップＳ１００３）。ＨＥＭＳコントローラ１００の制御部２０６が、要請に応じる第１実行計画６００についての第１評価値を計算し、要請に応じない第２実行計画７００についての第２評価値を計算する計算部９０２として機能する。
【０１６２】
制御部２０６は、計算した第１評価値と第２評価値をディスプレイ２５１に表示する（ステップＳ１００４）。ＨＥＭＳコントローラ１００の制御部２０６と画像処理部２０２が協働して、計算された第１評価値と計算された第２評価値とを表示する表示部９０４として機能する。
【０１６３】
図１１に、計算した第１評価値と第２評価値の表示例を示す。制御部２０６は、計算した第１評価値と第２評価値を含むアドバイス情報１１００をディスプレイ２５１に表示する。アドバイス情報１１００には次に掲げる情報が含まれる。
【０１６４】
・充電の要請に応じる場合に予想される蓄電設備１６０の残容量の推移を示すデータ１１１０。
・充電の要請に応じる場合に予想される消費電力量の推移を示すデータ１１２０。
・充電の要請に応じる場合の第１種の評価値ＶＥＣＯ１を示す画像１１３１。
・充電の要請に応じる場合の第２種の評価値ＶＥＮＶ１を示す画像１１３２。
・充電の要請に応じる場合の第３種の評価値ＶＣＮＦ１を示す画像１１３３。
・充電の要請に応じない場合に予想される蓄電設備１６０の残容量の推移を示すデータ１１４０。
・充電の要請に応じない場合に予想される消費電力量の推移を示すデータ１１５０。
・充電の要請に応じない場合の第１種の評価値ＶＥＣＯ２を示す画像１１６１。
・充電の要請に応じない場合の第２種の評価値ＶＥＮＶ２を示す画像１１６２。
・充電の要請に応じない場合の第３種の評価値ＶＣＮＦ２を示す画像１１６３。
・充電の要請に応じることをＤＲＡＳ１０に通知する処理に対応付けられるボタン１１７０。
・充電の要請に応じないことをＤＲＡＳ１０に通知する処理に対応付けられるボタン１１８０。
【０１６５】
画像１１３１，１１６１は、第１種の評価値ＶＥＣＯｎが小さいほど、長く表示される。画像１１３２，１１６２は、第２種の評価値ＶＥＮＶｎが小さいほど、長く表示される。画像１１３３，１１６３は、第３種の評価値ＶＣＮＦｎが小さいほど、長く表示される。ｎは１又は２である。
【０１６６】
需要家は、アドバイス情報１１００を閲覧しながら、ＤＲ指令が示す要請に応じるか否かを決めることができる。需要家は、要請に応じる場合にはボタン１１７０を操作し、要請に応じない場合にはボタン１１８０を操作すればよい。ＨＥＭＳコントローラ１００の制御部２０６と入力部２０４が協働して、要請に応じるか否かの指示入力を需要家から受け付ける入力受付部９０５として機能する。
【０１６７】
ただし、本実施形態では、需要家は、ＤＲ指令を受信した際にＤＲ指令が示す要請に応じるか否かを事前に決めておくことができる。つまり、制御部２０６は、ＤＲ指令を受信する前に、ＤＲ指令が示す要請に応じるか否かを指定する入力を需要家から受け付けて、ＤＲ指令が示す要請に応じるか否かを示す設定情報を記憶部２０５に予め記憶しておく。そして、制御部２０６は、ＤＲ指令をＤＲＡＳ１０から受信すると、需要家からの入力を受け付けることなく自動的に、記憶部２０５に予め記憶されている設定情報に基づいて、ＤＲ指令が示す要請に応じるか否かを決定し、ＤＲＡＳ１０に通知する。
【０１６８】
設定情報に基づいてＤＲ指令が示す要請に応じるか否かを決定する場合、制御部２０６は、アドバイス情報１１００の中にボタン１１７０，１１８０を表示しなくてよい。この自動設定により、利便性が高まる。ＨＥＭＳコントローラ１００の記憶部２０５が、要請を受信する前に予め需要家から受け付けた指示入力を示す設定情報を記憶する設定情報記憶部９０６として機能する。
【０１６９】
次に、制御部２０６は、ＤＲ指令が示す要請に応じるか否かが設定情報により指定されているか否か、すなわち自動設定がなされているか否かを判別する（ステップＳ１００５）。
【０１７０】
自動設定がなされている場合（ステップＳ１００５；ＹＥＳ）、ステップＳ１００７の処理へ移る。自動設定がなされていない場合（ステップＳ１００５；ＮＯ）、制御部２０６は、要請に応じる指示が需要家から入力されたか否か、言い換えればボタン１１７０が操作されたか否かを判別する（ステップＳ１００６）。
【０１７１】
要請に応じる指示が需要家によって入力されない場合（ステップＳ１００６；ＮＯ）、制御部２０６は充電開始処理を終了する。
【０１７２】
要請に応じる指示が需要家によって入力された場合（ステップＳ１００６；ＹＥＳ）、ステップＳ１００７へ移る。
【０１７３】
制御部２０６は、要請に応じるか否かを判別する（ステップＳ１００７）。制御部２０６は、自動設定により要請に応じる旨の設定情報が記憶部２０５に記憶されている場合、もしくは、要請に応じる指示が需要家によって入力された場合、要請に応じると判別する。一方、制御部２０６は、自動設定により要請に応じない旨の設定情報が記憶部２０５に記憶されている場合、もしくは、要請に応じない指示が需要家によって入力された場合、要請に応じないと判別する。
【０１７４】
要請に応じると判別した場合（ステップＳ１００７；ＹＥＳ）、制御部２０６は、要請に応じる旨の応答データをＤＲＡＳ１０へ送信する（ステップＳ１００８）。ＨＥＭＳコントローラ１００の制御部２０６と通信部２０１が協働して、要請に応じるか否かの需要家からの指示を示す応答データをＤＲＡＳ１０へ送信する送信部９０７として機能する。
【０１７５】
そして、制御部２０６は、要請による蓄電設備１６０への充電の開始を含む第１実行計画６００を決定し（ステップＳ１００９）、第１実行計画６００に基づいて宅内システムを制御する。
【０１７６】
一方、要請に応じないと判別した場合（ステップＳ１００７；ＮＯ）、制御部２０６は、充電開始処理を終了する。この場合、制御部２０６は、第２実行計画７００に基づいて宅内システムを制御することになる。なお、要請に応じないと判別した場合に、制御部２０６が要請に応じない旨の応答データをＤＲＡＳ１０へ送信してもよい。
【０１７７】
ＨＥＭＳコントローラ１００の制御部２０６が、要請に応じない旨の指示入力が需要家から入力されると第１実行計画６００に基づいて電気機器１８０と蓄電設備１６０を制御し、要請に応じない旨の指示入力が需要家から入力されると、第２実行計画７００に基づいて電気機器１８０と蓄電設備１６０を制御する機器制御部９０８として機能する。
【０１７８】
ステップＳ１００１においてＤＲ指令を受信していない場合（ステップＳ１００１；ＮＯ）には、ステップＳ８０４にて充電開始条件が満たされているので、制御部２０６は、蓄電設備１６０への充電を蓄電設備１６０に開始させる（ステップＳ１０１０）。例えば、蓄電設備１６０を充電する旨の需要家からの明示的な指示があったために充電開始条件が満たされ、且つ、ＤＲ指令を受信していない場合が、これに該当する。
【０１７９】
（放電開始処理）
次に、放電開始処理の詳細について、図１２，図１３を用いて説明する。
【０１８０】
まず、制御部２０６は、ＤＲ指令をＤＲＡＳ１０から受信したか否かを判別する（ステップＳ１２０１）。
【０１８１】
ＤＲ指令を受信した場合（ステップＳ１２０１；ＹＥＳ）、制御部２０６は、ステップＳ８０３にて作成した第１実行計画６００についての第１評価値（本実施形態では上述の第１種の評価値ＶＥＣＯ１と第２種の評価値ＶＥＮＶ１と第３種の評価値ＶＣＦＴ１の三つ）を計算する（ステップＳ１２０２）。
【０１８２】
同様に、制御部２０６は、ステップＳ８０３にて作成した第２実行計画７００についての第２評価値（本実施形態では上述の第１種の評価値ＶＥＣＯ２と第２種の評価値ＶＥＮＶ２と第３種の評価値ＶＣＦＴ２の三つ）を計算する（ステップＳ１２０３）。
【０１８３】
制御部２０６は、計算した第１評価値と第２評価値をディスプレイ２５１に表示する（ステップＳ１２０４）。
【０１８４】
図１３に、計算した第１評価値と第２評価値の表示例を示す。制御部２０６は、計算した第１評価値と第２評価値を含むアドバイス情報１３００をディスプレイ２５１に表示する。アドバイス情報１３００には次に掲げる情報が含まれる。
【０１８５】
・放電の要請に応じる場合に予想される蓄電設備１６０の残容量の推移を示すデータ１３１０。
・放電の要請に応じる場合に予想される消費電力量の推移を示すデータ１３２０。
・放電の要請に応じる場合の第１種の評価値ＶＥＣＯ１を示す画像１３３１。
・放電の要請に応じる場合の第２種の評価値ＶＥＮＶ１を示す画像１３３２。
・放電の要請に応じる場合の第３種の評価値ＶＣＮＦ１を示す画像１３３３。
・放電の要請に応じない場合に予想される蓄電設備１６０の残容量の推移を示すデータ１３４０。
・放電の要請に応じない場合に予想される消費電力量の推移を示すデータ１３５０。
・放電の要請に応じない場合の第１種の評価値ＶＥＣＯ２を示す画像１３６１。
・放電の要請に応じない場合の第２種の評価値ＶＥＮＶ２を示す画像１３６２。
・放電の要請に応じない場合の第３種の評価値ＶＣＮＦ２を示す画像１３６３。
・放電の要請に応じることをＤＲＡＳ１０に通知する処理に対応付けられるボタン１３７０。
・放電の要請に応じないことをＤＲＡＳ１０に通知する処理に対応付けられるボタン１３８０。
【０１８６】
画像１３３１，１３６１は、第１種の評価値ＶＥＣＯｎが小さいほど、長く表示される。画像１３３２，１３６２は、第２種の評価値ＶＥＮＶｎが小さいほど、長く表示される。画像１３３３，１３６３は、第３種の評価値ＶＣＮＦｎが小さいほど、長く表示される。ｎは１又は２である。
【０１８７】
需要家は、アドバイス情報１３００を閲覧しながら、ＤＲ指令が示す要請に応じるか否かを決めることができる。需要家は、要請に応じる場合にはボタン１３７０を操作し、要請に応じない場合にはボタン１３８０を操作すればよい。
【０１８８】
ただし、本実施形態では、需要家は、ＤＲ指令を受信した際にＤＲ指令が示す要請に応じるか否かを事前に決めておくことができる。つまり、制御部２０６は、ＤＲ指令を受信する前に、ＤＲ指令が示す要請に応じるか否かを指定する入力を需要家から受け付けて、ＤＲ指令が示す要請に応じるか否かを示す設定情報を記憶部２０５に予め記憶しておく。そして、制御部２０６は、ＤＲ指令をＤＲＡＳ１０から受信すると、需要家からの入力を受け付けることなく自動的に、記憶部２０５に予め記憶されている設定情報に基づいて、ＤＲ指令が示す要請に応じるか否かを決定し、ＤＲＡＳ１０に通知する。設定情報に基づいてＤＲ指令が示す要請に応じるか否かを決定する場合、制御部２０６は、アドバイス情報１３００の中にボタン１３７０，１３８０を表示しなくてよい。この自動設定により、利便性が高まる。
【０１８９】
次に、制御部２０６は、ＤＲ指令が示す要請に応じるか否かが設定情報により指定されているか否か、すなわち自動設定がなされているか否かを判別する（ステップＳ１２０５）。
【０１９０】
自動設定がなされている場合（ステップＳ１２０５；ＹＥＳ）、ステップＳ１２０７の処理へ移る。自動設定がなされていない場合（ステップＳ１２０５；ＮＯ）、制御部２０６は、要請に応じる指示が需要家から入力されたか否か、言い換えればボタン１３７０が操作されたか否かを判別する（ステップＳ１２０６）。
【０１９１】
要請に応じる指示が需要家によって入力されない場合（ステップＳ１２０６；ＮＯ）、制御部２０６は放電開始処理を終了する。
【０１９２】
要請に応じる指示が需要家によって入力された場合（ステップＳ１２０６；ＹＥＳ）、ステップＳ１２０７へ移る。
【０１９３】
制御部２０６は、要請に応じるか否かを判別する（ステップＳ１２０７）。制御部２０６は、自動設定により要請に応じる旨の設定情報が記憶部２０５に記憶されている場合、もしくは、要請に応じる指示が需要家によって入力された場合、要請に応じると判別する。一方、制御部２０６は、自動設定により要請に応じない旨の設定情報が記憶部２０５に記憶されている場合、もしくは、要請に応じない指示が需要家によって入力された場合、要請に応じないと判別する。
【０１９４】
要請に応じると判別した場合（ステップＳ１２０７；ＹＥＳ）、制御部２０６は、要請に応じる旨の応答データをＤＲＡＳ１０へ送信し（ステップＳ１２０８）、要請による蓄電設備１６０からの放電の開始を含む第１実行計画６００を決定し（ステップＳ１２０９）、第１実行計画６００に基づいて宅内システムを制御する。
【０１９５】
要請に応じないと判別した場合（ステップＳ１２０７；ＮＯ）、制御部２０６は、放電開始処理を終了する。この場合、制御部２０６は、第２実行計画７００に基づいて宅内システムを制御することになる。なお、要請に応じないと判別した場合に、制御部２０６が要請に応じない旨の応答データをＤＲＡＳ１０へ送信してもよい。
【０１９６】
なお、ステップＳ１２０１においてＤＲ指令を受信していない場合（ステップＳ１２０１；ＮＯ）には、ステップＳ８０６にて放電開始条件が満たされているので、制御部２０６は、蓄電設備１６０からの放電を蓄電設備１６０に開始させる（ステップＳ１２１０）。例えば、蓄電設備１６０から放電する旨の需要家からの明示的な指示があったために放電開始条件が満たされ、且つ、ＤＲ指令を受信していない場合が、これに該当する。
【０１９７】
（充電終了処理）
次に、充電終了処理の詳細について、図１４，図１５を用いて説明する。
【０１９８】
まず、制御部２０６は、蓄電設備１６０に、蓄電設備１６０への充電を終了させる（ステップＳ１４０１）。
【０１９９】
制御部２０６は、ステップＳ１４０１にて終了させた充電が、ＤＲ指令が示す要請による充電だったか否かを判別する（ステップＳ１４０２）。
【０２００】
ステップＳ１４０１にて終了させた充電が、ＤＲ指令が示す要請による充電ではなかったと判別した場合（ステップＳ１４０２；ＮＯ）、制御部２０６は、充電終了処理を終了する。
【０２０１】
ステップＳ１４０１にて終了させた充電が、ＤＲ指令が示す要請による充電だったと判別した場合（ステップＳ１４０２；ＹＥＳ）、制御部２０６は、要請に応じたことによる充電の実績値をディスプレイ２５１に表示する（ステップＳ１４０３）。
【０２０２】
図１５に、計算した実績値の表示例を示す。制御部２０６は、計算した実績値を含むアドバイス情報１５００をディスプレイ２５１に表示する。アドバイス情報１５００には次に掲げる情報が含まれる。
【０２０３】
・充電の開始前における目標充電量（見込み値）。
・充電にかかる電力の購入単価（見込み値）。
・充電にかかる電力の購入費用（見込み値）。
・第１種の評価値ＶＥＣＯ１（見込み値）を示す画像１１３１。
・第２種の評価値ＶＥＮＶ１（見込み値）を示す画像１１３２。
・第３種の評価値ＶＣＮＦ１（見込み値）を示す画像１１３３。
・実際の充電量（実績値）。
・充電にかかった電力の購入単価（実績値）。
・充電にかかった電力の購入費用（実績値）。
・第１種の評価値ＶＥＣＯ１（実績値）を示す画像１５３１。
・第２種の評価値ＶＥＮＶ１（実績値）を示す画像１５３２。
・第３種の評価値ＶＣＮＦ１（実績値）を示す画像１５３３。
・次回の要請に応じることを設定情報に記憶させる処理に対応付けられるボタン１５７０。
・次回の要請に応じないことを設定情報に記憶させる処理に対応付けられるボタン１５８０。
【０２０４】
画像１１３１，１５３１は、第１種の評価値ＶＥＣＯ１が小さいほど、長く表示される。画像１１３２，１５３２は、第２種の評価値ＶＥＮＶ１が小さいほど、長く表示される。画像１１３３，１５３３は、第３種の評価値ＶＣＮＦ１が小さいほど、長く表示される。
【０２０５】
第１種の評価値ＶＥＣＯ１と第２種の評価値ＶＥＮＶ１と第３種の評価値ＶＣＮＦ１の見込み値は、上述した充電開始処理において計算されたものと同じである。
【０２０６】
第１種の評価値ＶＥＣＯ１と第２種の評価値ＶＥＮＶ１と第３種の評価値ＶＣＮＦ１の実績値は、上述の［式１］［式２］［式３］において、Ｘｎ，Ｙｎ，Ｚｎ，ΔＴｎの予測値の代わりに、Ｘｎ，Ｙｎ，Ｚｎ，ΔＴｎの実績値を用いることにより、見込み値と同様に計算される。
【０２０７】
需要家は、アドバイス情報１５００を閲覧することにより、ＤＲ指令に応じた結果を知ることができる。また、アドバイス情報１５００を参考に、次にＤＲ指令を受信したときに自動的に要請に応じるか否かを決めることができる。需要家は、次回も要請に応じる場合にはボタン１５７０を操作し、次回は要請に応じない場合にはボタン１５８０を操作すればよい。
【０２０８】
ボタン１５７０が操作された場合、制御部２０６は、次回のＤＲ指令による要請に応じる旨を設定情報に記憶する。ボタン１５８０が操作された場合、制御部２０６は、次回のＤＲ指令による要請に応じない旨を設定情報に記憶する。
【０２０９】
（放電終了処理）
次に、放電終了処理の詳細について、図１６，図１７を用いて説明する。
【０２１０】
まず、制御部２０６は、蓄電設備１６０に、蓄電設備１６０からの放電を終了させる（ステップＳ１６０１）。
【０２１１】
制御部２０６は、ステップＳ１６０１にて終了させた放電が、ＤＲ指令が示す要請による放電だったか否かを判別する（ステップＳ１６０２）。
【０２１２】
図１７に、計算した実績値の表示例を示す。制御部２０６は、計算した実績値を含むアドバイス情報１７００をディスプレイ２５１に表示する。アドバイス情報１７００には次に掲げる情報が含まれる。
【０２１３】
・放電の開始前における目標放電量（見込み値）。
・放電によって需要家が得るインセンティブ（見込み値）。
・充電によって需要家が得るインセンティブの合計（見込み値）。
・第１種の評価値ＶＥＣＯ１（見込み値）を示す画像１３３１。
・第２種の評価値ＶＥＮＶ１（見込み値）を示す画像１３３２。
・第３種の評価値ＶＣＮＦ１（見込み値）を示す画像１３３３。
・実際の放電量（実績値）。
・放電によって需要家が得られたインセンティブ（実績値）。
・放電によって需要家が得られたインセンティブの合計（実績値）。
・第１種の評価値ＶＥＣＯ１（実績値）を示す画像１７３１。
・第２種の評価値ＶＥＮＶ１（実績値）を示す画像１７３２。
・第３種の評価値ＶＣＮＦ１（実績値）を示す画像１７３３。
・次回の要請に応じることを設定情報に記憶させる処理に対応付けられるボタン１７７０。
・次回の要請に応じないことを設定情報に記憶させる処理に対応付けられるボタン１７８０。
【０２１４】
画像１３３１，１７３１は、第１種の評価値ＶＥＣＯ１が小さいほど、長く表示される。画像１３３２，１７３２は、第２種の評価値ＶＥＮＶ１が小さいほど、長く表示される。画像１３３３，１７３３は、第３種の評価値ＶＣＮＦ１が小さいほど、長く表示される。
【０２１５】
第１種の評価値ＶＥＣＯ１と第２種の評価値ＶＥＮＶ１と第３種の評価値ＶＣＮＦ１の見込み値は、上述した放電開始処理において計算されたものと同じである。
【０２１６】
第１種の評価値ＶＥＣＯ１と第２種の評価値ＶＥＮＶ１と第３種の評価値ＶＣＮＦ１の実績値は、上述の［式１］［式２］［式３］において、Ｘｎ，Ｙｎ，Ｚｎ，Ｗｎ，ΔＴｎの予測値の代わりに、Ｘｎ，Ｙｎ，Ｚｎ，Ｗｎ，ΔＴｎの実績値を用いることにより、見込み値と同様に計算される。
【０２１７】
需要家は、アドバイス情報１７００を閲覧することにより、ＤＲ指令に応じた結果を知ることができる。また、アドバイス情報１７００を参考に、次にＤＲ指令を受信したときに自動的に要請に応じるか否かを決めることができる。需要家は、次回も要請に応じる場合にはボタン１７７０を操作し、次回は要請に応じない場合にはボタン１７８０を操作すればよい。
【０２１８】
ボタン１７７０が操作された場合、制御部２０６は、次回のＤＲ指令による要請に応じる旨を設定情報に記憶する。ボタン１７８０が操作された場合、制御部２０６は、次回のＤＲ指令による要請に応じない旨を設定情報に記憶する。
【０２１９】
以上のように、本実施形態によれば、電力制御システム１は、電力小売事業者から充放電の要請があると、要請に応じる場合の評価値と応じない場合の評価値とを需要家に分かりやすく提供する。従って、需要家は要請に応じるか否かを判断し易くなり、電力制御システム１は需要家の要望に合った制御を行うことができる。また、需要家のデマンドレスポンスへの関心を高めることができ、デマンドレスポンスへより多くの需要家が参加することが期待される。
【０２２０】
（実施形態２）
次に、本発明の実施形態２について説明する。本実施形態では、ＤＲＡＳ１０は、複数の需要家のＨＥＭＳコントローラ１００へＤＲ指令を送信し、ＤＲ指令が示す要請に対する需要家の参加状況等の情報に基づいて、需要家全体の消費電力量や放電量を予測する。ＨＥＭＳコントローラ１００は、予測結果に基づいて、ＤＲに関する更なる詳しい情報を需要家に提供する。
【０２２１】
供給電力の不足により、電力の安定した供給への信頼度が低下するおそれがあると、ＤＲＡＳ１０の制御部４０３は、電力の消費を抑えるように需要家へ要請する旨のＤＲ指令、又は、蓄電設備１６０に充電された電力を放電する旨のＤＲ指令を、各需要家のＨＥＭＳコントローラ１００へ送信する。また、供給電力の過多により、電力の安定した供給への信頼度が低下するおそれがあると、ＤＲＡＳ１０の制御部４０３は、電力を購入して蓄電設備１６０に充電する旨のＤＲ指令を、各需要家のＨＥＭＳコントローラ１００へ送信する。
【０２２２】
より詳細には、ＤＲＡＳ１０の制御部４０３は、ＨＥＭＳコントローラ１００が設置されている地域の将来の天気、気温、湿度等を示す気象データを、公的機関や民間気象会社が管理するサーバ（図示せず）から取得し、記憶部４０２に記憶する。
【０２２３】
また、ＤＲＡＳ１０の制御部４０３は、宅内システムによる消費電力量と発電量の実績値を示す運転データを、ＨＥＭＳコントローラ１００から定期的に取得し、記憶部４０２に記憶する。記憶部４０２には、各ＨＥＭＳコントローラ１００から取得した消費電力量と発電量の履歴が蓄積される。
【０２２４】
ＤＲＡＳ１０の制御部４０３は、取得した気象データと、取得した運転データとに基づいて、各需要家による将来の消費電力量を予測する。本実施形態のＤＲＡＳ１０の制御部４０３は、需要家全体による、数日先までの消費電力量の推移を事前に予測する。
【０２２５】
そして、制御部４０３は、電力小売事業者による発電量（供給量）の予測値と、需要家による消費電力量の予測値とに基づいて、電力の供給量が不足する（又は不足するおそれがある）時間帯、又は、電力の供給量が過多になる（又は過多になるおそれがある）時間帯を判別する。
【０２２６】
なお、各ＨＥＭＳコントローラ１００が、将来の消費電力量と発電量とを予測して予測結果をＤＲＡＳ１０へ送信し、ＤＲＡＳ１０の制御部４０３が、各ＨＥＭＳコントローラ１００から予測結果を受信して集計した後、将来の電力需要を予測してもよい。
【０２２７】
電力の供給量が不足する時間帯があると判別すると、ＤＲＡＳ１０の制御部４０３は、判別した時間帯に消費電力量を抑える要請を示す予告通知、又は、判別した時間帯に蓄電設備１６０から放電することを要請する予告通知を、各ＨＥＭＳコントローラ１００へ送信する。
【０２２８】
蓄電設備１６０から放電することを要請する場合、ＤＲＡＳ１０の制御部４０３は、判別した時間帯での放電の要請だけでなく、要請に応じた需要家に支払われるインセンティブを示すインセンティブ情報も合わせてＨＥＭＳコントローラ１００へ送信する。
【０２２９】
ＤＲＡＳ１０の制御部４０３は、各ＨＥＭＳコントローラ１００から、需要家が要請に応じるか否かを示す応答データを受信し、記憶部４０２に記憶する。そして、制御部４０３は、受信した応答データに基づいて、電力の供給量の不足又は過多が解消されるか否かを予測する。
【０２３０】
電力の供給量の不足が解消されないと予測した場合、ＤＲＡＳ１０の制御部４０３は、電力の供給量の不足が解消されないことによるリスクを示すリスク情報を生成し、生成したリスク情報を各ＨＥＭＳコントローラ１００へ送信する。
【０２３１】
例えば、リスク情報には、電力の不足分を他の電力小売事業者から購入するための費用、その費用全体に対する一需要家あたりの負担額、電力の過多分に相当する損失額、停電が起きる可能性を示す警告、等の情報が含まれる。
【０２３２】
電力供給の過多も、安定的な電力供給を損なう原因となり得る。ＤＲＡＳ１０の制御部４０３は、電力供給の過多が解消されないと予測した場合、電力供給の過多が解消されないことによるリスクを示すリスク情報を生成し、生成したリスク情報をＨＥＭＳコントローラ１００へ送信する。
【０２３３】
なお、電力の供給量の不足又は過多が解消されると予測した場合にも、ＤＲＡＳ１０の制御部４０３は、電力の供給量の不足又は過多が解消されないことによるリスクを示すリスク情報を生成し、生成したリスク情報を各ＨＥＭＳコントローラ１００へ送信してもよい。
【０２３４】
ＨＥＭＳコントローラ１００の制御部２０６は、リスク情報を含む予告通知をＤＲＡＳ１０から受信する。消費電力量を抑える要請を示す予告通知を受信すると、制御部２０６は、上述した電力制御処理において放電開始条件が満たされると判別し、放電開始処理を実行する。また、蓄電設備１６０から放電することを要請する予告通知を受信すると、上述した電力制御処理において充電開始条件が満たされると判別し、充電開始処理を実行する。
【０２３５】
ディスプレイ２５１には、図１１と図１３に例示したアドバイス情報１１００，１３００を表示し、要請に応じるか否かを示す入力を需要家から受け付ける。自動設定になっている場合には、制御部２０６は、要請に応じるか否かを示す設定情報を記憶部２０５から取得する。
【０２３６】
ＨＥＭＳコントローラ１００の制御部２０６は、要請に応じるか否かを示す応答データをＤＲＡＳ１０へ送信する。ＤＲＡＳ１０の制御部４０３は、応答データをＨＥＭＳコントローラ１００から受信し、記憶部４０２に記憶する。
【０２３７】
更に、ＤＲＡＳ１０の制御部４０３は、各ＨＥＭＳコントローラ１００から受信した応答データに基づいて、判別した時間帯での電力の供給量の不足又は過多が解消するか否かを再び予測する。
【０２３８】
再び予測した後、電力の供給量の不足が解消しないと判別すると、ＤＲＡＳ１０の制御部４０３は、判別した時間帯に消費電力量を抑える要請を示す予告通知、又は、判別した時間帯に蓄電設備１６０から放電することを要請する予告通知を、各ＨＥＭＳコントローラ１００へ再び送信する。また、再び予測した後、電力の供給量の過多が解消しないと判別すると、ＤＲＡＳ１０の制御部４０３は、蓄電設備１６０に充電する要請を示す予告通知を、各ＨＥＭＳコントローラ１００へ再び送信する。ここで送信される予告通知にもリスク情報が含まれる。
【０２３９】
ＤＲＡＳ１０の制御部４０３は、同様の処理を、電力の供給量の不足又は過多が解消されると判別するまで、繰り返す。
【０２４０】
既に要請に応じる旨の応答データを送信したＨＥＭＳコントローラ１００に再び予告通知を送信しても、電力の供給量の不足又は過多の解消には繋がらない可能性が高い。そこで、ＤＲＡＳ１０の制御部４０３は、再び予告通知を送信する場合には、既に要請に応じる旨の応答データを送信したＨＥＭＳコントローラ１００を送信対象から除外し、要請に応じない旨の応答データを送信したＨＥＭＳコントローラ１００、及び、応答データを未だ送信していないＨＥＭＳコントローラ１００に予告通知を再び送信することが望ましい。
【０２４１】
一方、電力の供給量の不足又は過多が解消すると判別した場合、ＤＲＡＳ１０の制御部４０３は、電力の供給量の不足又は過多が解消すると判別した時点で、予告通知の再送信を終了してもよい。つまり、要請に応じる需要家は先着順に決まる。
【０２４２】
あるいは、電力の供給量の不足又は過多が解消すると判別した場合、ＤＲＡＳ１０の制御部４０３は、電力の供給量の不足又は過多が解消すると判別した後も、予告通知の再送信を続け、要請に応じるか否かを競りによって決定してもよい。
【０２４３】
例えば、ＤＲＡＳ１０の制御部４０３は、応募者が上限値より多い場合、需要者に提供するインセンティブを変更し、変更後のインセンティブであっても要請に応じるか否かを示す予告通知をＨＥＭＳコントローラ１００へ送信する。一般には、需要者が得られるインセンティブは減少することになる。ＨＥＭＳコントローラ１００の制御部２０６は、変更されたインセンティブを示す情報を含むアドバイス情報１１００，１３００をディスプレイ２５１に表示する。ＨＥＭＳコントローラ１００の制御部２０６は、要請に応じるか否かの指示入力をユーザから受け付け、あるいは、要請に応じるか否かの設定情報を記憶部２０５から取得し、応答データをＤＲＡＳ１０へ送信する。ＤＲＡＳ１０の制御部４０３は、応答データを受信し、記憶部４０２に記憶し、電力の供給量の不足又は過多が解消されるか否かを予測する。
【０２４４】
反対に、応募者が下限値より少ない場合、ＤＲＡＳ１０の制御部４０３は、需要者に提供するインセンティブを変更し、変更後のインセンティブであれば要請に応じるか否かを示す予告通知をＨＥＭＳコントローラ１００へ送信する。一般には、需要者が得られるインセンティブは増加することになる。ＨＥＭＳコントローラ１００の制御部２０６は、変更されたインセンティブを示す情報を含むアドバイス情報１１００，１３００をディスプレイ２５１に表示する。ＨＥＭＳコントローラ１００の制御部２０６は、要請に応じるか否かの入力をユーザから受け付け、あるいは、要請に応じるか否かの設定情報を記憶部２０５から取得し、応答データをＤＲＡＳ１０へ送信する。ＤＲＡＳ１０の制御部４０３は、応答データを受信し、記憶部４０２に記憶し、電力の供給量の不足又は過多が解消されるか否かを予測する。
【０２４５】
次に、本実施形態の電力制御システム１によって実行される処理の流れを、図１８を用いて説明する。
【０２４６】
まず、ＤＲＡＳ１０の制御部４０３は、気象データを取得する（ステップＳ１８０１）。
【０２４７】
ＨＥＭＳコントローラ１００の制御部２０６は、消費電力量と発電量の実績値を示す運転データをＤＲＡＳ１０へ送信する（ステップＳ１８０２）。ＤＲＡＳ１０の制御部４０３は、ＨＥＭＳコントローラ１００から運転データを受信し（ステップＳ１８０３）、記憶部４０２に記憶する。ＤＲＡＳ１０の制御部４０３は、各需要家のＨＥＭＳコントローラ１００から運転データを受信する。
【０２４８】
なお、運転データを送受信するステップＳ１８０２とステップＳ１８０３を、別のプロセスとしてバックグラウンドで実行するようにしてもよい。
【０２４９】
ＤＲＡＳ１０の制御部４０３は、気象データと運転データとに基づいて、電力の供給不足又は供給過多が将来予測されるか否かを判別する（ステップＳ１８０４）。
【０２５０】
電力の供給不足が予測される場合（ステップＳ１８０４；ＹＥＳ）、ＤＲＡＳ１０の制御部４０３は、判別した時間帯に消費電力量を抑える要請を示す予告通知、又は、判別した時間帯に蓄電設備１６０から放電することを要請する予告通知を、各ＨＥＭＳコントローラ１００へ送信する（ステップＳ１８０５）。
【０２５１】
あるいは、電力の供給過多が予測される場合（ステップＳ１８０４；ＹＥＳ）、ＤＲＡＳ１０の制御部４０３は、判別した時間帯に電力を購入して蓄電設備１６０に充電する要請を示す予告通知を、各ＨＥＭＳコントローラ１００へ送信する（ステップＳ１８０５）。
【０２５２】
ＨＥＭＳコントローラ１００の制御部２０６は、予告通知をＤＲＡＳ１０から受信する（ステップＳ１８０６）。
【０２５３】
ＨＥＭＳコントローラ１００の制御部２０６は、実施形態１で説明した電力制御処理を繰り返し実行している。ＨＥＭＳコントローラ１００の制御部２０６は、第１実行計画６００を作成し、第１実行計画６００についての第１評価値（第１種の評価値ＶＥＣＯ１と第２種の評価値ＶＥＮＶ１と第３種の評価値ＶＣＮＦ１）を計算する。同様に、ＨＥＭＳコントローラ１００の制御部２０６は、第２実行計画７００を作成し、第２実行計画７００についての第２評価値（第１種の評価値ＶＥＣＯ２と第２種の評価値ＶＥＮＶ２と第３種の評価値ＶＣＮＦ２）を計算する。
【０２５４】
ＨＥＭＳコントローラ１００の制御部２０６は、計算した第１評価値と第２評価値をディスプレイ２５１に表示する（ステップＳ１８０７）。
【０２５５】
ＨＥＭＳコントローラ１００の制御部２０６は、要請に応じるか否かを判別する。制御部２０６は、自動設定により要請に応じる旨の設定情報が記憶部２０５に記憶されている場合、もしくは、要請に応じる指示が需要家によって入力された場合、要請に応じると判別する。一方、制御部２０６は、自動設定により要請に応じない旨の設定情報が記憶部２０５に記憶されている場合、もしくは、要請に応じない指示が需要家によって入力された場合、要請に応じないと判別する。
【０２５６】
要請に応じると判別した場合、ＨＥＭＳコントローラ１００の制御部２０６、要請に応じる旨の応答データをＤＲＡＳ１０に送信し（ステップＳ１８０８）、要請による蓄電設備１６０からの放電又は要請により蓄電設備１６０への充電の開始を含む第１実行計画６００を決定し、第１実行計画６００に基づいて宅内システムを制御する。
【０２５７】
要請に応じないと判別した場合、ＨＥＭＳコントローラ１００の制御部２０６は、要請に応じない旨の応答データをＤＲＡＳ１０に送信し（ステップＳ１８０８）、要請に応じない第２実行計画７００を決定し、第２実行計画７００に基づいて宅内システムを制御する。
【０２５８】
ＤＲＡＳ１０の制御部４０３は、各ＨＥＭＳコントローラ１００から応答データを受信し（ステップＳ１８０９）、気象データと運転データ、及び、応答データに基づいて、電力の供給不足又は供給過多が将来予測されるか否かを再び判別する（ステップＳ１８０４）。
【０２５９】
ＤＲＡＳ１０とＨＥＭＳコントローラ１００は、電力の供給不足又は供給過多が解消されるとＤＲＡＳ１０によって判別されるまで、ステップＳ１８０４からステップＳ１８０９までの処理を繰り返す。
【０２６０】
ステップＳ１８０４において電力の供給不足又は供給過多が予測される場合、ＤＲＡＳ１０とＨＥＭＳコントローラ１００は、需要家へのインセンティブを変更し、要請に応じる需要家を競りによって決定してもよい。
【０２６１】
すなわち、ステップＳ１８０４からステップＳ１８０９までの処理を繰り返した結果、要請に応じる需要家の数が上限値よりも多い場合や、要請に応じる需要家の数が下限値よりも少ない場合、ＤＲＡＳ１０の制御部４０３は、インセンティブを変更した上で、再び予告通知をＨＥＭＳコントローラ１００へ送信してもよい。
【０２６２】
なお、ＤＲＡＳ１０の制御部４０３は、ステップＳ１８０４からステップＳ１８０９までの１回目の処理において供給不足又は供給過多が解消しないと予測した後、ステップＳ１８０４からステップＳ１８０９までの２回目の処理において供給不足又は供給過多が解消すると予測した場合、１回目の処理において要請に応じると返答した需要家には当初提示したインセンティブ（減らされていないインセンティブ）を適用し、２回目の処理において要請に応じると返答した需要家には当初提示したインセンティブを変更した新たなインセンティブ（減らされたインセンティブ）を適用する、としてもよい。
【０２６３】
そして、ステップＳ１８０４において、電力の供給不足又は供給過多が予測されないと判別した場合（ステップＳ１８０４；ＮＯ）、ＤＲＡＳ１０の制御部４０３は、電力の需給計画を決定する（ステップＳ１８１０）。
【０２６４】
本実施形態によれば、電力制御システム１は、要請に応じる場合の評価値と応じない場合の評価値とを需要家に分かりやすく提供することにより、需要家の要望に合った制御を行うことができる。需要家は要請に応じるか否かを判断し易くなり、電力制御システム１は需要家の要望に合った制御を行うことができる。また、需要家のデマンドレスポンスへの関心を高めることができ、デマンドレスポンスへより多くの需要家が参加することが期待される。
【０２６５】
また、デマンドレスポンスへの参加を競りによって決定することにより、電力小売事業者の負担が減り、また、需要者が早めにデマンドレスポンスに応じるように誘導することができる。
【０２６６】
本発明は、上述した実施形態に限定されず、種々の変形及び応用が可能である。また、上述した実施形態の各構成要素を自由に組み合わせることも可能である。
【０２６７】
上記各実施形態では、需要家に提示される評価値として、経済的な要因を考慮した第１種の評価値ＶＥＣＯｎと、環境的な要因を考慮した第２種の評価値ＶＥＮＶｎと、快適さを考慮した第３種の評価値ＶＣＮＦｎと、の三つを採用した。しかし、ＨＥＭＳコントローラ１００は、これら三つの評価値をすべて需要家に提示する代わりに、これら三つのうち少なくともいずれか一つを含む評価値を需要家に提示してもよい。また、評価値はこれらに限定されず、任意に定義することができる。
【０２６８】
上記の第１種の評価値ＶＥＣＯｎの計算式と第２種の評価値ＶＥＮＶｎの計算式と第３種の評価値ＶＣＮＦｎの計算式は一例であり、任意に変更可能である。
【０２６９】
（変形例）
上記の実施形態では、ＨＥＭＳコントローラ１００が宅内に配置された場合について説明したが、ＨＥＭＳコントローラ１００を宅外に配置するようにしてもよい。例えば、インターネット上のサーバをＨＥＭＳコントローラ１００として機能させてもよい。
【０２７０】
例えば、図１９に示すように、宅内には、ＨＥＭＳコントローラ１００の代わりに、ルータ１９０が配置されている。一方、宅外の通信ネットワーク上には、ＨＥＭＳコントローラ１００として機能する管理サーバ１９００が配置されている。この場合、ルータ１９０と管理サーバ１９００とが協働して、ＨＥＭＳコントローラ１００の役割を果たす。
【０２７１】
上記のＨＥＭＳコントローラ１００の全部又は一部としてコンピュータを動作させるためのプログラムを、メモリカード、ＣＤ−ＲＯＭ、ＤＶＤ、ＭＯ（Magneto Optical disk）などのコンピュータが読み取り可能な記録媒体に格納して配布し、これを別のコンピュータにインストールし、上述の手段として動作させ、あるいは、上述の工程を実行させてもよい。
【０２７２】
更に、インターネット上のサーバ装置が有するディスク装置等にプログラムを格納しておき、例えば、搬送波に重畳させて、コンピュータにダウンロード等するものとしてもよい。
【０２７３】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【０２７４】
以上のように、上記各実施形態によれば、需要家の要望に合った制御を行うことができる電力制御装置、電力制御方法、及び、プログラムを提供することができる。
【符号の説明】
【０２７５】
１  電力制御システム、１０  ＤＲＡＳ、２０  情報収集サーバ、３０  スマートメータ、５０  通信ネットワーク、１００  ＨＥＭＳコントローラ、１２０  需要家端末、１３０  自立切替盤、１４０  電力計測装置、１５０  発電設備、１６０  蓄電設備、１７０  電気自動車、１８０  電気機器、１９０  ルータ、２０１，３０１，４０１  通信部、２０２，３０２  画像処理部、２０３，３０３  音声処理部、２０４，３０５  入力部、２０５，３０６，４０２  記憶部、２０６，３０７，４０３  制御部、２５１，３５１  ディスプレイ、２５２，３５２  スピーカ、３０４  Ｉ／Ｏ部、５００  スケジュール情報、６００  第１実行計画、７００  第２実行計画、９０１  受信部、９０２  計算部、９０３  スケジュール記憶部、９０４  表示部、９０５  入力受付部、９０６  設定情報記憶部、９０７  送信部、９０８  機器制御部、１１００，１３００，１５００，１７００  アドバイス情報、１９００  管理サーバ
【図１】
2017013754.tif 000003
【図２】
2017013754.tif 000004
【図３】
2017013754.tif 000005
【図４】
2017013754.tif 000006
【図５】
2017013754.tif 000007
【図６】
2017013754.tif 000008
【図７】
2017013754.tif 000009
【図８】
2017013754.tif 000010
【図９】
2017013754.tif 000011
【図１０】
2017013754.tif 000012
【図１１】
2017013754.tif 000013
【図１２】
2017013754.tif 000014
【図１３】
2017013754.tif 000015
【図１４】
2017013754.tif 000016
【図１５】
2017013754.tif 000017
【図１６】
2017013754.tif 000018
【図１７】
2017013754.tif 000019
【図１８】
2017013754.tif 000020
【図１９】
2017013754.tif 000021
【手続補正書】
【提出日】平成29年5月22日(2017.5.22)
【手続補正１】
【補正対象書類名】明細書
【補正対象項目名】０００８
【補正方法】変更
【補正の内容】
【０００８】
上記目的を達成するため、本発明に係る電力制御装置は、
蓄電設備からの放電の要請又は前記蓄電設備への充電の要請を示す通知をサーバから受信する受信部と、
需要家によって予め入力されたスケジュール情報に基づいて、前記要請に応じた場合の電力制御計画を示す第１の実行計画と前記要請に応じない場合の電力制御計画を示す第２の実行計画とを作成し、作成した実行計画に基づいて、前記要請に応じた場合における、経済性を示す評価値、環境性を示す評価値、快適性を示す評価値のうち、少なくとも一つの評価値を計算する計算部と、
前記計算部により計算された前記少なくとも一つの評価値を表示する表示部と、
を備える。
【手続補正２】
【補正対象書類名】特許請求の範囲
【補正対象項目名】全文
【補正方法】変更
【補正の内容】
【特許請求の範囲】
【請求項１】
蓄電設備からの放電の要請又は前記蓄電設備への充電の要請を示す通知をサーバから受信する受信部と、
需要家によって予め入力されたスケジュール情報に基づいて、前記要請に応じた場合の電力制御計画を示す第１の実行計画と前記要請に応じない場合の電力制御計画を示す第２の実行計画とを作成し、作成した実行計画に基づいて、前記要請に応じた場合における、経済性を示す評価値、環境性を示す評価値、快適性を示す評価値のうち、少なくとも一つの評価値を計算する計算部と、
前記計算部により計算された前記少なくとも一つの評価値を表示する表示部と、
を備える電力制御装置。
【請求項２】
前記計算部は、前記電力制御装置の制御対象である電気機器による消費電力の予測値と、発電設備による発電電力の予測値と、電力小売事業者から提示された電気料金データと、前記要請に応じることにより需要家が得るインセンティブと、に基づいて、前記評価値を計算する、
請求項１に記載の電力制御装置。
【請求項３】
前記要請に応じる旨の指示入力が前記需要家から入力されると、前記第１の実行計画に基づいて電気機器を制御し、前記要請に応じない旨の指示入力が前記需要家から入力されると、前記第２の実行計画に基づいて前記電気機器を制御する機器制御部を更に備える、
請求項１又は２に記載の電力制御装置。
【請求項４】
蓄電設備からの放電の要請又は前記蓄電設備への充電の要請を示す通知をサーバから受信する受信部と、
前記要請に応じるか否かの事前の指示を需要家から受け付ける入力受付部と、
前記要請に応じた場合における、経済性を示す評価値、環境性を示す評価値、快適性を示す評価値のうち、少なくとも一つの評価値を表示する表示部と、
前記事前の指示に基づいた応答データを前記サーバへ送信する送信部と、
を備える電力制御装置。
【請求項５】
蓄電設備からの放電の要請又は前記蓄電設備への充電の要請を示す通知をサーバから受信する受信部と、
前記要請に応じた場合における、経済性を示す評価値、環境性を示す評価値、快適性を示す評価値のうち、少なくとも一つの評価値と、前記要請に応じないことによるリスクを示すリスク情報とを表示する表示部と、
を備える電力制御装置。
【請求項６】
指定された期間における蓄電設備からの放電の要請又は前記蓄電設備への充電の要請を示す通知であって、前記要請に応じることにより需要家が得るインセンティブを示すインセンティブ情報が含まれる通知をサーバから受信する受信部と、
前記要請に応じた場合における、経済性を示す評価値、環境性を示す評価値、快適性を示す評価値のうち、少なくとも一つの評価値と、前記インセンティブ情報とを表示する表示部と、
前記要請に応じるか否かを示す応答データを前記サーバへ送信する送信部と、を備え、
前記表示部は、前記要請に応じない旨を示す応答データを前記サーバへ送信した後、前回と同一の期間における前記要請を示す通知を前記サーバから受信すると、前記インセンティブの内容が変更された新たなインセンティブ情報を表示する、電力制御装置。
【請求項７】
受信部が、蓄電設備からの放電の要請又は前記蓄電設備への充電の要請を示す通知をサーバから受信し、
入力受付部が、前記要請に応じるか否かの事前の指示を需要家から受け付け、
表示部が、前記要請に応じた場合における、経済性を示す評価値、環境性を示す評価値、快適性を示す評価値のうち、少なくとも一つの評価値を表示し、
送信部が、前記事前の指示に基づいた応答データを前記サーバへ送信する、電力制御方法。
【請求項８】
コンピュータを、
蓄電設備からの放電の要請又は前記蓄電設備への充電の要請を示す通知をサーバから受信する受信部、
前記要請に応じるか否かの事前の指示を需要家から受け付ける入力受付部、
前記要請に応じた場合における、経済性を示す評価値、環境性を示す評価値、快適性を示す評価値のうち、少なくとも一つの評価値を表示する表示部、
前記事前の指示に基づいた応答データを前記サーバへ送信する送信部、
として機能させるプログラム。
【国際調査報告】
2017013754.tif 000022
2017013754.tif 000023
2017013754.tif 000024
2017013754.tif 000025